(57)【要約】【課題】従来の映写機を備えた浴室では、浴槽内に入浴した状態で入浴者に正対する壁面に映像を映すために、入浴者の後方に映写機が設けられている。すなわち、映写機からの光は入浴者の上方を通って入浴者の前方の壁面に到達する。そのため、映写機によって映像を映写している状態で、入浴者が立ち上がると、入浴者の頭部あるいは体が映写機からの光をさえぎり、壁面に映像が映写されない状態が生ずる。【解決手段】浴槽に入浴した状態で入浴者に正対する壁面に上記映写面を設定し、上記浴槽の長手方向に沿って設けられた壁面の、上記映写面と入浴者の頭部との間の位置に、上記映写機を収納する手すりを設けた。【選択図】  図１
2019120079.tif 000002
【特許請求の範囲】
【請求項１】
浴室の壁面に映写面を設け、その映写面に映像を映写する映写機を備えた浴室において、浴槽に入浴した状態で、上記映写面と入浴者の頭部との間の位置に、上記映写機を設けたことを特徴とする浴室。
【請求項２】
上記映写面を設けた壁面に対して連続する壁面に、浴室内側に突出し内部空間が浴室外に連通した中空の収納部を設け、その収納部内に上記映写機を収納したことを特徴とする請求項１に記載の浴室。
【請求項３】
上記収納部内に浴室外の空気を送風して収納部内に収納された映写機を冷却する冷却手段を設けたこと特徴とする請求項２に記載の浴室。
【請求項４】
上記収納部の外壁の少なくとも一部を金属材料で構成し、その金属材料に上記映写機が発生する熱を伝えて、この金属材料部分を放熱器として作用させることを特徴とする請求項２または請求項３に記載の浴室。
【請求項５】
上記収納部の外壁に、上記映写機の操作を行うための操作ボタンを設けたことを特徴とする請求項２から請求項４のいずれかに記載の浴室。
【発明の詳細な説明】
【技術分野】
【０００１】
本発明は、浴室の壁面に映像を映写する映写機を備えた浴室に関する。
【背景技術】
【０００２】
浴室内で入浴中にテレビなどの映像を鑑賞したいという要求がある。そのため、完全防水のテレビ装置を浴室の壁面に取り付ける場合がある。ただし、映像を表示する画面の大きさは大きい方が好まれるため、必然的にテレビ装置の大きさが大きくなる。すると、大型のテレビ装置を浴室の壁面に取り付けられることになり、映像を表示していない状態では、大きなテレビ装置が邪魔になるという問題が生ずる。このような不具合を解消するため、浴室内に映写機を設け、浴室内の壁面に映写機からの映像を映写するようにしたものが知られている（例えば、特許文献１参照）。
【先行技術文献】
【特許文献】
【０００３】
【特許文献１】特開２００３−９７０６２号公報（図６）
【発明の概要】
【発明が解決しようとする課題】
【０００４】
上記従来の映写機を備えた浴室では、浴槽内に入浴した状態で入浴者に正対する壁面に映像を映すために、入浴者の後方に映写機が設けられている。すなわち、映写機からの光は入浴者の上方を通って入浴者の前方の壁面に到達する。そのため、映写機によって映像を映写している状態で入浴者が立ち上がると、入浴者の頭部あるいは体が映写機からの光をさえぎり、壁面に映像が映写されない状態が生ずる。
【０００５】
また、映写機と映像が映し出される壁面との距離が長くなるので、映写機からの光量が大きくなければ映写される映像が暗くなり、そのため大型の映写機を用いなければならない。さらには、大型の映写機を用いることによって映写機での発熱量が多くなり、高能力の冷却装置を付随させる必要も生じる。
【０００６】
そこで本発明は、上記の問題点に鑑み、上記の不具合が生じない浴室を提供することを課題とする。
【課題を解決するための手段】
【０００７】
上記課題を解決するために本発明による浴室は、浴室の壁面に映写面を設け、その映写面に映像を映写する映写機を備えた浴室において、浴槽に入浴した状態で、上記映写面と入浴者の頭部との間の位置に、上記映写機を設けたことを特徴とする。
【０００８】
映写機を、従来の浴室のように入浴者の後方に設けるのではなく、映写面と入浴者の頭部との間の位置に設けることにより、映像を映写している状態で入浴者が立ち上がったとしても、映写が邪魔されることがない。
【０００９】
上記映写面を設けた壁面に対して連続する壁面に、浴室内側に突出し内部空間が浴室外に連通した中空の収納部を設け、その収納部内に上記映写機を収納すれば、映写面に対する映写機からの光の角度が垂直に近づくため、映像のひずみが少なくなる。
【００１０】
なお、上記収納部内に浴室外の空気を送風して収納部内に収納された映写機を冷却する冷却手段を設ければよい。
【００１１】
また、上記収納部の外壁の少なくとも一部を金属材料で構成し、その金属材料に上記映写機が発生する熱を伝えて、この金属材料部分を放熱器として作用させることも考えられる。
【００１２】
上記収納部の外壁に、上記映写機の操作を行うための操作ボタンを設ければ、入浴中に簡単に操作をすることができる。
【発明の効果】
【００１３】
以上の説明から明らかなように、本発明は、映写機によって壁面に映像を映写している状態で、浴槽内の入浴者が立ち上がり、あるいは浴槽に対して出入りしても、映像が入浴者の体などによって遮られることがないので、連続して映像を鑑賞することができる。
【図面の簡単な説明】
【００１４】
【図１】本発明の一実施の形態の構成を示す図
【図２】収納部である手すりの先端部分を示す断面図
【図３】手すりの後端部分を示す断面図
【発明を実施するための形態】
【００１５】
図１を参照して、ＢＲは本発明による浴室の一例である。この浴室ＢＲには映写面１０が設けられた壁面１と、この壁面１に対して直角に連続する壁面２とが設けられている。なお、上記浴槽ＢＴに入浴した状態で、入浴者の足元側を先端方向として、その先端方向に上記壁面１が位置し、頭部は図において手前側である後端側に位置する。そして、壁面２には、浴槽ＢＴに対して入浴者が出入りする際の補助として機能する手すり３が取り付けられている。なお、上記映写面１０は壁面１の所定の区画を映写面１０として設定し、壁面１の表面に直接映像を映写してもよいが、映写された映像を鮮明にするための別部材のスクリーンを壁面１に貼着して映写面１０としてもよい。さらには、そのスクリーンを壁面１に貼着するのではなく、壁面１に沿って例えば上方に移動して退避可能に設け、映像を映写する際に上方から所定の位置まで降りてきて、その降りてきたスクリーンに映像を映写するようにしてもよい。
【００１６】
図２を参照して、この手すり３は映写機４２を収納する収納部であり、先端側は前部連結部３１を介して壁面２に固定されている。そして、この前部連結部３１に対して先端側から設置現場に合わせて調節された映写機ユニット４が差し込まれて固定される。この映写機ユニット４の前面には透明なガラス板４１が取り付けられている。そして、上述した映写機４２から照射される映像光はこのガラス板４１を透過して上記映写面１０に到達する。なお、映写機４２で生じる熱は、内部放熱板４３に伝達される。
【００１７】
上記前部連結部３１には、ステンレス製のパイプ３２が取り付けられており、上記映写機ユニット４を前部連結部３１に取り付けると、上記内部放熱板４３が熱伝達板３３に当接し、上記映写機４２で生じた熱は内部放熱板４３からこの熱伝達板３３を通って、上記パイプ３２に伝達される。このパイプ３２は放熱器として作用し、従って、上記映写機４２で生じた熱はこのパイプ３２から浴室ＢＲ内へと放熱される。また、パイプ３２内には後述する送風ファンによって空気が後方から送り込まれ、その空気は前部連結部３１を通って壁面２の外側に排気されるので、その空気によっても映写機４２で生じる熱が空冷される。
【００１８】
図３を参照して、上記パイプ３２の後端側は後部連結部３４を介して壁面２に固定されている。この後部連結部３４は中空であり、壁面２の外側に設けた送風ファン６によって壁面２の外側の空気が冷却用空気として後部連結部３４を通ってパイプ３２内に送り込まれる。なお、このように送風ファン６によって空気をパイプ３２内に送り込むことによって、パイプ３２内の圧力は正圧になり、上記前部連結部３１や後部連結部３４との連結部分から水などがパイプ３２の内部に浸入することを防止することができる。これに対して、パイプ３２内の空気を吸い出す方向に送風ファン６を動作させると、パイプ３２内の圧力が負圧になり、パイプ３２内に水などを吸い込むおそれが生じ、望ましくない。
【００１９】
スイッチ基板５に複数個の操作スイッチ５１・５２・５３を設け、これら操作スイッチ５１・５２・５３を操作することによって上記映写機４２を操作するようにした。なお、これら操作スイッチ５１・５２・５３は図示の通りパイプ３２に設けたので、入浴者がパイプ３２を把持した場合に不用意に操作スイッチ５１・５２・５３に触れてしまうおそれがある。そこで、オンオフスイッチ５４はパイプ３２ではなく後部連結部３４に設け、不用意にオンオフスイッチ５４が押し操作されないようにした。このように構成することにより、不用意に映写機４２が動作開始することがなく、また不用意に動作を終了することを防止することができる。
【００２０】
上述のように、手すり３を映写機４２の収納部とすることによって、浴槽ＢＴに入浴者が入浴した状態で、映写機４２は入浴者の頭部と上記映写面１０との間に位置することになり、映写機４２から映写面１０に対して映像が映写されている状態で入浴者が立ち上がるなどの動作をしても、入浴者の体が映写を遮ることがなく、映写面１０の映像が見えなくなるなどの不具合が生じない。
【００２１】
なお、本発明は上記した形態に限定されるものではなく、本発明の要旨を逸脱しない範囲内において種々の変更を加えてもかまわない。例えば、映写面１０を入浴者の足元側の壁面１に設定したが、壁面２や他の壁面に設けてもよい。ただし、その際には映写機４２の設置位置を適宜変更する。
【符号の説明】
【００２２】
１  壁面
２  壁面
３  手すり（収納部）
４  映写機ユニット
６  送風ファン
１０  映写面
３２  パイプ（放熱器）
４２  映写機
ＢＲ  浴室
ＢＴ  浴槽
【図１】
2019120079.tif 000003
【図２】
2019120079.tif 000004
【図３】
2019120079.tif 000005